(57)【要約】【課題】携帯端末との間で実行される近距離無線通信への悪影響を抑制するとともに、ユーザーに蓄積された静電気が当該近距離無線通信を実行する通信回路に流れることを回避可能な電子機器を提供すること。【解決手段】電子機器は、ユーザーの携帯端末が対向される対向部と、実装面６１Ａが対向部の裏面に対向して配置された基板６１と、を備え、基板６１には、アンテナ６２、アンテナ６２を用いて対向部に対向された携帯端末との間で所定の通信規格に従った近距離無線通信を実行する通信回路６３、及びアースに接続された通電路６４が実装されており、通電路６４は、通信回路６３よりも前方側に設けられ、左右方向Ｄ３において金属製の第１導電部６４１と非金属製の第２導電部６４２とが交互に連結されて構成されている。【選択図】図６
2019080101.tif 000002
【特許請求の範囲】
【請求項１】
ハウジングと、
前記ハウジングの上面に設けられ、前記ハウジングにおける予め定められた側面側からユーザーの携帯端末が対向される対向部と、
前記ハウジングの内部に設けられ、実装面が前記対向部に対向して配置された基板と、を備え、
前記基板には、アンテナ、前記アンテナを用いて前記対向部に対向された前記携帯端末との間で予め定められた通信規格に従った近距離無線通信を実行する通信回路、及びアース接続された通電路が実装されており、
前記通電路は、前記基板において前記通信回路よりも前記側面側に設けられ、前記ハウジングの前記側面における幅方向へ延在しており、金属製の第１導電部と非金属製の第２導電部とが前記幅方向に交互に連結されて構成されている電子機器。
【請求項２】
前記第２導電部は、前記携帯端末を前記対向部に対向させるユーザーと前記第１導電部との間で発生する放電により当該ユーザーから前記第１導電部に流れる静電気をアースへ流すことが可能な抵抗器である、
請求項１に記載の電子機器。
【請求項３】
前記通電路は、前記通信回路が接続されるフレームグランドに対して絶縁されている、
請求項１又は２に記載の電子機器。
【請求項４】
前記ハウジングは、前記側面の上端部から当該側面に垂直な方向へ突出する突出部を有し、
前記対向部は、前記突出部の上面に設けられ、
前記基板は、前記突出部の内部に設けられる、
請求項１〜３のいずれかに記載の電子機器。
【請求項５】
前記突出部は、上方へ向けて開口する開口部を有し当該開口部の下側に前記基板を収容可能な収容空間を画定する収容部、及び前記開口部を覆うカバー部を備える、
請求項４に記載の電子機器。
【請求項６】
原稿から画像データを読み取る画像読取部、及び画像データに基づいて画像を形成する画像形成部のいずれか一方又は両方を備える、
請求項１〜５のいずれかに記載の電子機器。
【発明の詳細な説明】
【技術分野】
【０００１】
本発明は、携帯端末と無線通信可能な電子機器に関する。
【背景技術】
【０００２】
プリンターなどの電子機器では、ユーザーに蓄積された静電気が操作表示部などからハウジング内部の電子回路に流れて、当該電子回路が破壊される、又は誤動作を起こすことがある。これに対し、金属体を用いることによって、ユーザーに蓄積された静電気が電子回路に流れることを回避可能な構成が知られている（特許文献１参照）。
【０００３】
また、スマートフォンなどの携帯端末との間で、ＮＦＣ（ＮｅａｒＦｉｅｌｄＣｏｍｍｕｎｉｃａｔｉｏｎ）に従った近距離無線通信を実行可能な電子機器が知られている。
【先行技術文献】
【特許文献】
【０００４】
【特許文献１】特開２０１４−１２３２７４号公報
【発明の概要】
【発明が解決しようとする課題】
【０００５】
ところで、ユーザーが電子機器と携帯端末との間でＮＦＣに従った近距離無線通信を実行させるためにその手に持つ携帯端末を電子機器に近づけた際に、ユーザーに蓄積された静電気がハウジング内部の当該近距離無線通信を実行する通信回路に流れることがある。前記通信回路に静電気が流れることを回避するために金属体が用いられる場合には、その金属体によって反射された電波がノイズとなって携帯端末との間で実行される近距離無線通信に悪影響を生じさせるおそれがある。
【０００６】
本発明の目的は、携帯端末との間で実行される近距離無線通信への悪影響を抑制するとともに、ユーザーに蓄積された静電気が当該近距離無線通信を実行する通信回路に流れることを回避可能な電子機器を提供することにある。
【課題を解決するための手段】
【０００７】
本発明に係る電子機器は、ハウジングと、対向部と、基板とを備える。前記対向部は、前記ハウジングの上面に設けられ、前記ハウジングにおける予め定められた側面側からユーザーの携帯端末が対向される。前記基板は、前記ハウジングの内部に設けられ、実装面が前記対向部に対向して配置される。前記基板には、アンテナ、前記アンテナを用いて前記対向部に対向された前記携帯端末との間で予め定められた通信規格に従った近距離無線通信を実行する通信回路、及びアース接続された通電路が実装されている。前記通電路は、前記基板において前記通信回路よりも前記側面側に設けられ、前記ハウジングの前記側面における幅方向へ延在しており、金属製の第１導電部と非金属製の第２導電部とが前記幅方向に交互に連結されて構成されている。
【発明の効果】
【０００８】
本発明によれば、携帯端末との間で実行される近距離無線通信への悪影響を抑制するとともに、ユーザーに蓄積された静電気が当該近距離無線通信を実行する通信回路に流れることを回避することが可能である。
【図面の簡単な説明】
【０００９】
【図１】図１は、本発明の実施形態に係る画像形成装置の構成を示す図である。
【図２】図２は、本発明の実施形態に係る画像形成装置の構成を示す図である。
【図３】図３は、本発明の実施形態に係る画像形成装置の突出部の構成を示す図である。
【図４】図４は、本発明の実施形態に係る画像形成装置の収容部の構成を示す図である。
【図５】図５は、本発明の実施形態に係る画像形成装置の突出部及び無線通信部の構成を示す図である。
【図６】図６は、本発明の実施形態に係る画像形成装置の無線通信部の構成を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置１０の概略構成］
まず、図１及び図２を参照しつつ、本発明の実施形態に係る画像形成装置１０の概略構成について説明する。ここで、図１は画像形成装置１０の構成を示す断面模式図である。また、図２は画像形成装置１０の構成を示す斜視図である。
【００１２】
なお、説明の便宜上、画像形成装置１０が使用可能な設置状態（図１に示される状態）で鉛直方向を上下方向Ｄ１と定義する。また、図１に示される画像形成装置１０の紙面手前側の面を正面（前面）として前後方向Ｄ２を定義する。また、前記設置状態の画像形成装置１０の正面を基準として左右方向Ｄ３を定義する。
【００１３】
画像形成装置１０は、画像データに基づいて画像を形成するプリント機能と共に、スキャン機能、ファクシミリ機能、及びコピー機能などの複数の機能を有する複合機である。ここに、画像形成装置１０が、本発明における電子機器の一例である。なお、本発明は、スキャナー、プリンター、ファクシミリ装置、コピー機、情報処理端末、自動改札機、レジスター機、及びＡＴＭなどの電子機器に適用可能である。
【００１４】
図１及び図２に示されるように、画像形成装置１０は、ハウジング１０Ａ、ＡＤＦ（自動原稿搬送装置）１、画像読取部２、画像形成部３、給紙部４、及び操作表示部５を備える。
【００１５】
ハウジング１０Ａは、画像形成装置１０の構成要素を収容する。図２に示されるように、ハウジング１０Ａは略直方体状に形成されている。画像形成部３及び給紙部４は、ハウジング１０Ａの下部に収容されている。画像読取部２は、ハウジング１０Ａの上部に収容されている。ハウジング１０Ａの上面１０Ａ１には、画像読取部２によって読み取られる原稿が載置される原稿台が形成されている。前記原稿台には、ＡＤＦ１が開閉可能に設けられている。ハウジング１０Ａの正面１０Ａ２の上端部には、正面１０Ａ２から前方へ突出する突出部１０Ｂが設けられている。突出部１０Ｂには、操作表示部５が設けられている。
【００１６】
ＡＤＦ１は、画像読取部２によって読み取られる原稿を搬送する。具体的に、ＡＤＦ１は、原稿セット部、複数の搬送ローラー、原稿押さえ、及び排紙部を備える。ＡＤＦ１は、前記原稿セット部に載置された原稿を、画像読取部２による画像データの読み取り位置を経由して、前記排紙部へ搬送する。
【００１７】
画像読取部２は、原稿から画像データを読み取る。具体的に、画像読取部２は、光源、複数のミラー、光学レンズ、及びＣＣＤを備える。画像読取部２は、前記原稿台に載置された原稿、及びＡＤＦ１によって搬送される原稿から画像データを読み取る。
【００１８】
画像形成部３は、画像データに基づいて、電子写真方式で画像を形成する。具体的に、画像形成部３は、感光体ドラム、帯電装置、光走査装置、現像装置、転写ローラー、クリーニング装置、定着ローラー、加圧ローラー、及び排紙トレイを備える。画像形成部３は、画像読取部２で読み取られた画像データ、又は外部のパーソナルコンピューター等の情報処理装置から入力された画像データに基づいて、画像を形成する。なお、画像形成部３は、インクジェット方式などの他の画像形成方式で画像を形成してもよい。
【００１９】
給紙部４は、画像形成部３にシートを供給する。具体的に、給紙部４は、給紙カセット、及び複数の搬送ローラーを備える。画像形成装置１０では、給紙部４から供給されるシートに画像が形成されて、画像形成後のシートが前記排紙トレイに排出される。
【００２０】
操作表示部５は、ユーザーの操作に応じて不図示の制御部に各種の情報を入力し、前記制御部からの制御指示に応じて各種の情報を出力する。具体的に、操作表示部５は、液晶ディスプレーなどの表示部５１（図３参照）、操作キー５２（図３参照）、タッチパネル５３（図３参照）、並びに表示部５１及びタッチパネル５３を制御する制御回路（不図示）を備える。
【００２１】
画像形成装置１０は、ユーザーの所持するスマートフォンなどの携帯端末との間で、ＮＦＣ（ＮｅａｒＦｉｅｌｄＣｏｍｍｕｎｉｃａｔｉｏｎ）（ＩＳＯ／ＩＥＣ１８０９２）に従った近距離無線通信を実行することが可能である。具体的に、画像形成装置１０は、無線通信部６（図５及び図６参照）を備える。
【００２２】
以下、図２〜図６を参照しつつ、突出部１０Ｂ及び無線通信部６について説明する。ここで、図３は突出部１０Ｂの構成を示す斜視図である。なお、図３における破線は、対向部１０Ｂ２を示すためのものである。また、図４は収容部１０Ｃの構成を示す斜視図である。また、図５は図３におけるＶ−Ｖ矢視断面図である。また、図６は無線通信部６の構成を示す平面模式図である。なお、図６における一点鎖線は、通信回路６３とフレームグランドＧとを電気的に接続する通電経路Ｒ１、及び通電路６４とアースＥとを電気的に接続する通電経路Ｒ２、Ｒ３を示すためのものである。
【００２３】
突出部１０Ｂは、図２に示されるように、正面１０Ａ２の上端部に設けられている。突出部１０Ｂは、正面１０Ａ２から正面１０Ａ２に垂直な方向である画像形成装置１０の前方へ向けて先細り形状に形成されている。突出部１０Ｂの上面１０Ｂ１（図３参照）は、ハウジング１０Ａの上面１０Ａ１の一部を形成している。
【００２４】
図３に示されるように、突出部１０Ｂは、収容部１０Ｃ、及びカバー部１０Ｄを有する。
【００２５】
収容部１０Ｃは、上方へ向けて開口する開口部１０Ｃ６（図４参照）を有し、開口部１０Ｃ６の下側に操作表示部５の前記制御回路及び無線通信部６を収容可能な収容空間Ｓ（図４及び図５参照）を画定する。
【００２６】
図３及び図４に示されるように、収容部１０Ｃは、底部１０Ｃ１と、底部１０Ｃ１における左右方向Ｄ３の両端部に立設された一対の側壁１０Ｃ２と、底部１０Ｃ１における前後方向Ｄ２の前端部に立設された前壁１０Ｃ３とを有する。底部１０Ｃ１、一対の側壁１０Ｃ２、及び前壁１０Ｃ３は、樹脂によって一体に形成されている。例えば、収容部１０Ｃは、底部１０Ｃ１及び一対の側壁１０Ｃ２に設けられた不図示の係合部がハウジング１０Ａに設けられた不図示の被係合部に係合されることで、ハウジング１０Ａに取り付けられる。
【００２７】
図４に示されるように、底部１０Ｃ１は、前後方向Ｄ２における前方側が、後方側よりも浅く形成されている。一対の側壁１０Ｃ２の上端部１０Ｃ４各々は、前後方向Ｄ２における後方側から前方側に向けて下方へ傾斜して形成されている。前壁１０Ｃ３の上端部１０Ｃ５は、水平方向に沿って形成されている。上端部１０Ｃ４各々の前端部は、上端部１０Ｃ５の左右方向Ｄ３の端部と連続するように形成されている。一対の上端部１０Ｃ４及び上端部１０Ｃ５によって、開口部１０Ｃ６が形成されている。また、底部１０Ｃ１、一対の側壁１０Ｃ２、及び前壁１０Ｃ３によって、開口部１０Ｃ６の下側に収容空間Ｓが画定されている。
【００２８】
カバー部１０Ｄは、開口部１０Ｃ６を覆う。
【００２９】
図３に示されるように、カバー部１０Ｄは、略平板状に形成されている。カバー部１０Ｄは、収容部１０Ｃと同様に樹脂によって形成されている。例えば、カバー部１０Ｄは、左右方向Ｄ３の両端部及び前後方向Ｄ２の前端部に設けられた不図示の係合部が、収容部１０Ｃの一対の側壁１０Ｃ２及び前壁１０Ｃ３に設けられた不図示の被係合部に係合されることで、収容部１０Ｃに取り付けられる。収容部１０Ｃ及びカバー部１０Ｄにより、突出部１０Ｂが形成されている。前壁１０Ｃ３の上端部１０Ｃ５とカバー部１０Ｄとの間に形成される接続部１０Ｂ３（図５参照）には、収容部１０Ｃ及びカバー部１０Ｄのいずれか一方又は両方における成形誤差によりわずかな幅の間隙が形成されている。
【００３０】
図３に示されるように、突出部１０Ｂの上面１０Ｂ１には、対向部１０Ｂ２（図３における破線で囲まれた領域）が設けられている。具体的に、対向部１０Ｂ２は、上面１０Ｂ１の前端部に設けられている。
【００３１】
対向部１０Ｂ２は、ハウジング１０Ａにおける正面１０Ａ２側からユーザーの前記携帯端末が対向される。ユーザーは、前記携帯端末を対向部１０Ｂ２にかざすことで、前記携帯端末と画像形成装置１０との間でＮＦＣに従った近距離無線通信を実行させることが可能である。例えば、対向部１０Ｂ２には、ＮＦＣに従った近距離無線通信が可能であることを示すマークを含むシールが貼付されている。ここに、正面１０Ａ２が、本発明における予め定められた側面の一例である。なお、本発明における予め定められた側面は、ハウジング１０Ａにおける左右方向Ｄ３のいずれかの側面又は背面であってもよい。また、対向部１０Ｂ２は、ハウジング１０Ａの上面１０Ａ１における突出部１０Ｂの上面１０Ｂ１とは異なる領域に設けられていてもよい。この場合、無線通信部６は、ハウジング１０Ａの内部における収容空間Ｓとは異なる空間に設けられる。
【００３２】
無線通信部６は、ユーザーによって対向部１０Ｂ２に対向して配置される前記携帯端末との間で、ＮＦＣに従った近距離無線通信を実行することが可能である。図６に示されるように、無線通信部６は、基板６１、アンテナ６２、通信回路６３、及び通電路６４を備える。
【００３３】
基板６１は、アンテナ６２、通信回路６３、及び通電路６４が実装される電子回路基板である。基板６１は、突出部１０Ｂの内部に設けられている。図５に示されるように、基板６１は、アンテナ６２、及び通信回路６３が実装される実装面６１Ａ（図６参照）が対向部１０Ｂ２に対向して配置されている。具体的に、基板６１は、ユーザーによって対向部１０Ｂ２に対向して配置される前記携帯端末とアンテナ６２との間の距離が後述するＮＦＣの通信範囲（約１０ｃｍ）以内となるように、対向部１０Ｂ２の裏側（カバー部１０Ｄの裏面）に近接する位置に配置されている。例えば、基板６１は、収容部１０Ｃに設けられた不図示の支持部によって、その隅部各々が支持される。
【００３４】
アンテナ６２は、電波を送受信可能である。例えば、アンテナ６２は、基板６１の実装面６１Ａに設けられた平面コイルである。アンテナ６２は、実装面６１Ａにおける対向部１０Ｂ２と対向する位置に配置される。
【００３５】
通信回路６３は、アンテナ６２を用いて、対向部１０Ｂ２に対向された前記携帯端末との間でＮＦＣに従った近距離無線通信を実行する。具体的に、通信回路６３は、１３．５６ＭＨｚの周波数帯を用いて、アンテナ６２から約１０ｃｍの通信範囲に存在する前記携帯端末との間でＮＦＣに従った無線通信を実行可能である。ここに、ＮＦＣが、本発明における予め定められた通信規格の一例である。なお、本発明における予め定められた通信規格は、ＮＦＣと同程度の通信範囲を有する他の近距離無線通信の通信規格であってもよい。
【００３６】
具体的に、通信回路６３は、データの符号化及び復号化などの処理を実行する制御回路、搬送波生成器、変調器、及び復調器などを備える。通信回路６３は、電線によって構成される通電経路Ｒ１（図６参照）を介してハウジング１０Ａ内部に設けられるフレームグランドＧ（図６参照）と電気的に接続されている。
【００３７】
ところで、帯電したユーザーが画像形成装置１０と前記携帯端末との間でＮＦＣに従った近距離無線通信を実行させるためにその手に持つ前記携帯端末を対向部１０Ｂ２に近づけた際に、当該ユーザーに蓄積された静電気が突出部１０Ｂ内部の通信回路６３に流れることがある。例えば、ユーザーに蓄積された静電気が、突出部１０Ｂの接続部１０Ｂ３（図５参照）に形成された隙間を通って、通信回路６３に放射されることがある。ユーザーに蓄積された静電気が通信回路６３に流れると、通信回路６３が破壊される、又は誤動作を起こすことがある。これに対し、金属体を用いることによってユーザーに蓄積された静電気が通信回路６３に流れることを回避可能な構成が知られている。
【００３８】
しかしながら、通信回路６３に静電気が流れることを回避するために金属体が用いられる場合には、その金属体によって反射された電波がノイズとなって前記携帯端末との間で実行される近距離無線通信に悪影響を生じさせるおそれがある。これに対し、本発明の実施形態に係る画像形成装置１０では、以下に説明するように、前記携帯端末との間で実行される近距離無線通信への悪影響を抑制するとともに、ユーザーに蓄積された静電気が通信回路６３に流れることを回避可能である。
【００３９】
通電路６４は、前記携帯端末を対向部１０Ｂ２に対向させるユーザーから放射される静電気をアースＥ（図６参照）へ流す。
【００４０】
図６に示されるように、通電路６４は、基板６１においてアンテナ６２及び通信回路６３よりもハウジング１０Ａの正面１０Ａ２側（前後方向Ｄ２における前方側）に設けられている。また、通電路６４は、ハウジング１０Ａの正面１０Ａ２における幅方向である左右方向Ｄ３（図２参照）へ延在している。通電路６４は、図６に示されるように、基板６１における左右方向Ｄ３の全域に亘って設けられている。
【００４１】
図６に示されるように、通電路６４は、複数の第１導電部６４１、及び複数の第２導電部６４２を有する。通電路６４は、第１導電部６４１と第２導電部６４２とが交互に連結されて構成されている。
【００４２】
第１導電部６４１は金属製である。例えば、第１導電部６４１は、銅箔パターン６４１Ａと、接合部６４１Ｂとを含む。銅箔パターン６４１Ａは、基板６１の実装面６１Ａの裏面に形成される。接合部６４１Ｂは、銅箔パターン６４１Ａと第２導電部６４２とを電気的に接続する。具体的に、接合部６４１Ｂは、銅箔パターン６４１Ａと電気的に接続された基板６１上のスルーホール、及び当該スルーホールと第２導電部６４２の端子とを接合する半田によって構成される。
【００４３】
ここで、第１導電部６４１は、基板６１においてアンテナ６２及び通信回路６３よりも前方側に設けられている。即ち、第１導電部６４１は、アンテナ６２及び通信回路６３よりも、前記携帯端末を対向部１０Ｂ２に対向させるユーザーに近い位置に配置されている。これにより、第１導電部６４１の接合部６４１Ｂは、前記携帯端末を対向部１０Ｂ２に対向させるユーザーが帯電している場合に、アンテナ６２及び通信回路６３に含まれる金属体に替わって、当該ユーザーから放射される静電気の流入部となることが可能である。換言すると、画像形成装置１０では、アンテナ６２及び通信回路６３よりも前方側に設けられた第１導電部６４１によって、帯電したユーザーとアンテナ６２及び通信回路６３に含まれる金属体との間における放電の発生が抑制される。
【００４４】
また、第１導電部６４１は、左右方向Ｄ３に沿って複数設けられている。これにより、第１導電部６４１による、帯電したユーザーとアンテナ６２及び通信回路６３に含まれる金属体との間における放電の発生が抑制される範囲を左右方向Ｄ３に広げることが可能である。
【００４５】
第２導電部６４２は導電性を有し、非金属製である。例えば、第２導電部６４２は、前記携帯端末を対向部１０Ｂ２に対向させるユーザーと第１導電部６４１との間で発生する放電により当該ユーザーから第１導電部６４１に流れる静電気をアースＥへ流すことが可能な非金属製の抵抗器である。例えば、第２導電部６４２は、黒鉛等により構成されたゼロオーム抵抗器（ジャンパー抵抗器）である。
【００４６】
なお、ゼロオーム抵抗器とは、数十ミリオームのような極めて微小な電気抵抗を有する抵抗器のことである。例えば、第２導電部６４２は、１０ミリオームの電気抵抗を有する。第２導電部６４２の電気抵抗が低いほど、ユーザーから放射されて第１導電部６４１へ流入した静電気がアースＥへ流れやすくなる。なお、第２導電部６４２は、１０ミリオーム以上の電気抵抗を有するゼロオーム抵抗器であってもよい。また、第２導電部６４２は、ゼロオーム抵抗器とは異なる非金属製の抵抗器であってもよい。また、第２導電部６４２は、電気抵抗を有していなくてもよい。
【００４７】
図６に示されるように、通電路６４は、アースＥと電気的に接続されている。具体的に、通電路６４は、その左右方向Ｄ３における端部各々が、アースＥと接続されている。これにより、通電路６４における左右方向Ｄ３の一方の端部のみアースＥと接続される構成と比較して、ユーザーから放射されて第１導電部６４１へ流入した静電気がアースＥに流れるまでに経由する第２導電部６４２の数の最大値を低減可能である。即ち、第１導電部６４１へ流入した静電気をアースＥに流しやすくすることが可能である。
【００４８】
ここで、通電路６４は、通信回路６３が接続されるフレームグランドＧ（図６参照）に対して電気的に絶縁されている。例えば、通電路６４では、通電路６４の左右方向Ｄ３における両端部とアースＥとを電気的に接続する通電経路Ｒ２及びＲ３（図６参照）各々が、一本の電気線によって構成されている。これにより、通電路６４がフレームグランドＧを経由してアースＥに接続される構成と比較して、第１導電部６４１に流入した静電気がフレームグランドＧを経由して通信回路６３に流れ込むことが防止される。
【００４９】
このように、画像形成装置１０では、通信回路６３が実装された基板６１に通電路６４が設けられている。これにより、前記携帯端末を対向部１０Ｂ２に対向させるユーザーが帯電している場合に、当該ユーザーといずれかの第１導電部６４１との間で放電を発生させて、当該ユーザーに蓄積している静電気をアースＥへ流すことが可能である。従って、ユーザーに蓄積された静電気が通信回路６３に流れることを回避可能である。
【００５０】
また、画像形成装置１０では、通電路６４が、第１導電部６４１と第２導電部６４２とが交互に連結されることによって構成されている。これにより、通電路６４が第１導電部６４１のみによって構成される場合と比較して、通電路６４を構成する金属体の量が少なくなる。そのため、前記携帯端末と無線通信部６との間で実行される近距離無線通信への悪影響を抑制することが可能である。
【００５１】
なお、通電路６４は、基板６１における左右方向Ｄ３の中央部に配置された一つの第２導電部６４２、及び当該第２導電部６４２の両側に配置された一対の第１導電部６４１により構成されていてもよい。また、通電路６４は、図６に示された５つの第１導電部６４１及び４つの第２導電部６４２を含む構成に限られず、任意の数の第１導電部６４１及び第２導電部６４２を有していてよい。
【００５２】
また、第１導電部６４１は、銅箔パターン６４１Ａに替えて、実装面６１Ａ上に配置され、金属表面が露出した銅線などの金属線を有していてもよい。
【符号の説明】
【００５３】
１    ＡＤＦ
２    画像読取部
３    画像形成部
４    給紙部
５    操作表示部
６    無線通信部
１０  画像形成装置
１０Ａ  ハウジング
１０Ｂ  突出部
１０Ｂ２  対向部
１０Ｃ  収容部
１０Ｄ  カバー部
６１  基板
６１Ａ  実装面
６２  アンテナ
６３  通信回路
６４  通電路
６４１  第１導電部
６４２  第２導電部
【図１】
2019080101.tif 000003
【図２】
2019080101.tif 000004
【図３】
2019080101.tif 000005
【図４】
2019080101.tif 000006
【図５】
2019080101.tif 000007
【図６】
2019080101.tif 000008